(57)【要約】【課題】塵芥収集及び液状廃棄物収集の双方に用いることができる廃棄物収集車を提供する。【解決手段】廃棄物収集車１は、塵芥を圧縮して収容する第１収容部２と、液状廃棄物を吸引して収容する第２収容部６とを備える。第１収容部２は、塵芥投入箱９に投入された塵芥を圧縮して塵芥収容箱１０に収容する。第２収容部６は、真空ポンプ４によりホース１６を介して液状廃棄物を吸引し、タンク５に収容する。タンク５は、後方側の側壁が塵芥収容箱１０の前方側の側壁に一体化されることにより強化されている。【選択図】図１
2014144831.tif 000002
【特許請求の範囲】
【請求項１】
投入される固形廃棄物を圧縮して収容する第１収容部と、液状廃棄物を吸引して収容する第２収容部とを備えた廃棄物収集車であって、
前記第１収容部は、固形廃棄物が投入される投入箱と、該投入箱に投入された固形廃棄物が圧縮されて収容される収容箱とを備え、
前記第２収容部は、液状廃棄物を収容する収容タンクと、該収容タンク内を真空吸引する真空ポンプと、該収容タンクに開閉バルブを介して接続された管路とを備え、
前記第１収容部は、廃棄物収集車の後方側に設けられ、前記第２収容部は、該第１収容部の前方側に隣接して設けられ、
前記収容タンクは、後方側の側壁が前記収容箱の前方側の側壁に一体化されることにより強化されていることを特徴とする廃棄物収集車。
【請求項２】
前記収容タンク及び収容箱は、全体として、廃棄物収集車の前後方向に沿った上面及びその両側の側面を有する直方体状の外形を有することを特徴とする請求項１に記載の廃棄物収集車。
【請求項３】
前記第２収容部は、
前記収容タンクとしての第１タンク及び第２タンクと、
前記第１タンク及び第２タンクにそれぞれ対応する前記開閉バルブとしての第１開閉バルブ及び第２開閉バルブと、
前記第１タンク及び第２タンクにそれぞれ対応する前記管路としての第１管路及び第２管路と、
前記真空ポンプによる真空吸引の対象を前記第１タンク又は第２タンクに切り替えるための切替えバルブとを備えることを特徴とする請求項１又は２に記載の廃棄物収集車。
【請求項４】
前記第１収容部による固形廃棄物の収容に際して生じる汚水を貯留する汚水タンクと、
前記収容タンクと前記汚水タンクとを接続する接続管路と、
前記汚水タンク内に溜まった汚水を、前記接続管路を介して前記収容タンクに移送する移送ポンプとを備えることを特徴とする請求項１〜３のいずれか１項に記載の廃棄物収集車。
【請求項５】
前記汚水タンク内の汚水が所定のレベルに達したときに検出信号を出力する液面センサを備え、
前記移送ポンプは、前記液面センサからの検出信号に基づいて作動することを特徴とする請求項４に記載の廃棄物収集車。
【請求項６】
前記投入箱は、その上端部の回動軸の周りで回動することにより、前記収容箱の後端を開閉し得るようになっており、
前記接続管路には、前記投入箱の回動時に該回動に支障を生じないように該接続管路を分離させるための分離用コネクタが設けられることを特徴とする請求項４又は５に記載の廃棄物収集車。
【請求項７】
前記投入箱は、その上端部の回動軸の周りで回動することにより、前記収容箱の後端を開閉し得るようになっており、
前記接続管路は、前記投入箱の回動時に必要な部分が変形するように可撓性を有することを特徴とする請求項４又は５に記載の廃棄物収集車。
【発明の詳細な説明】
【技術分野】
【０００１】
本発明は、投入される固形廃棄物を圧縮して収容する第１収容部と、液状廃棄物を吸引して収容する第２収容部とを備えた廃棄物収集車に関する。
【背景技術】
【０００２】
従来、固形廃棄物の収集及び液状廃棄物の収集は、それぞれパッカー車及びバキュームカーを用いて別個に行われる。パッカー車は、固形廃棄物としての塵芥の収集に際し、車両後部の塵芥投入箱に投入される塵芥を、塵芥積込装置によって圧縮し、車両中央部の塵芥収容箱に収容する機能を有する（例えば、特許文献１参照）。
【０００３】
バキュームカーは、液状廃棄物の収集に際し、真空ポンプでタンク内の空気を減圧することにより、ホースを介して液状廃棄物を吸引し、タンクに収容する機能を有する。このようにしてタンク内に収集された液状廃棄物は、タンク内を加圧することにより、ホースを介して排出される（例えば、特許文献２参照）。
【先行技術文献】
【特許文献】
【０００４】
【特許文献１】特許第４８４２０６７号公報
【特許文献２】特開２００７−９２４４５号公報
【発明の概要】
【発明が解決しようとする課題】
【０００５】
しかしながら、上述のように固形廃棄物の収集と液状廃棄物の収集を別個に行うと、固形廃棄物収集を行う地点と液状廃棄物収集を行う地点とが混在する状況においては、これらの地点を一度で巡回する場合に比べ、巡回のルートに重複が生じるので、作業効率が悪い。すなわち、固形廃棄物収集及び液状廃棄物収集の双方を完了するまでに長時間を要するか、又は短時間で完了するためには、固形廃棄物収集及び液状廃棄物収集のそれぞれについて別個の人員が必要となる。
【０００６】
本発明の目的は、かかる従来技術の課題に鑑み、固形廃棄物収集及び液状廃棄物収集の双方に用いることができる廃棄物収集車を提供することにある。
【課題を解決するための手段】
【０００７】
本発明の廃棄物収集車は、投入される固形廃棄物を圧縮して収容する第１収容部と、液状廃棄物を吸引して収容する第２収容部とを備えた廃棄物収集車であって、前記第１収容部は、固形廃棄物が投入される投入箱と、該投入箱に投入された固形廃棄物が圧縮されて収容される収容箱とを備え、前記第２収容部は、液状廃棄物を収容する収容タンクと、該収容タンク内を真空吸引する真空ポンプと、該収容タンクに開閉バルブを介して接続された管路とを備え、前記第１収容部は、廃棄物収集車の後方側に設けられ、前記第２収容部は、該第１収容部の前方側に隣接して設けられ、前記収容タンクは、後方側の側壁が前記収容箱の前方側の側壁に一体化されることにより強化されていることを特徴とする。
【０００８】
本発明によれば、廃棄物収集車は、固形廃棄物を収容する第１収容部と、液状廃棄物を収容する第２収容部とを備えるので、固形廃棄物の収集及び液状廃棄物の収集の双方に用いることができる。このため、固形廃棄物の収集を行う地点及び液状廃棄物の収集を行う地点が混在する状況において、各地点を廃棄物収集車で効率よく巡回しながら、固形廃棄物及び液状廃棄物の収集を並行して行うことができる。これにより、固形廃棄物及び液状廃棄物の収集を行うための作業人員を削減し又は作業時間を短縮することができる。
【０００９】
また、収容タンクは、スペースが限られた廃棄物収集車において、第１収容部の投入箱及び収容箱とともに設けられるので、通常のバキュームカーのタンクのような大容量のタンクではなく、小容量のものとなる。また、収容タンクは、後方側の側壁が収容箱の前方側の側壁に一体化されることにより強化されている。
【００１０】
このため、収容タンクは、直方体状のものであっても、真空ポンプによる真空吸引に十分耐え得るものとして、容易に構成することができる。これにより、収容タンクを、廃棄物収集車上の限られたスペース内に、収容箱と一体のものとして効率的に設置することができる。
【００１１】
本発明において、前記収容タンク及び収容箱は、全体として、廃棄物収集車の前後方向に沿った上面及びその両側の側面を有する直方体状の外形を有してもよい。これによれば、上述の収容タンクの後方側の側壁と収容箱の前方側の側壁との一体化による収容タンクの必要な強度の実現と、廃棄物収集車上の限られたスペース内における収容タンク及び収容箱の設置とを、容易に達成することができる。
【００１２】
また、本発明において、前記第２収容部は、前記収容タンクとしての第１タンク及び第２タンクと、前記第１タンク及び第２タンクにそれぞれ対応する前記開閉バルブとしての第１開閉バルブ及び第２開閉バルブと、前記第１タンク及び第２タンクにそれぞれ対応する前記管路としての第１管路及び第２管路と、前記真空ポンプによる真空吸引の対象を前記第１タンク又は第２タンクに切り替えるための切替えバルブとを備えてもよい。
【００１３】
これによれば、固形廃棄物及び液状廃棄物の収集に際し、通常の液状廃棄物は第１タンク内に収集し、天ぷら油等の再生可能な廃油については、通常の液状廃棄物とは区別して第２タンク内に収集することができる。そして、第２タンク内に収集した廃油をバイオ燃料等として再生することにより、省資源化を図ることができる。
【００１４】
また、本発明において、前記第１収容部による固形廃棄物の収容に際して生じる汚水を貯留する汚水タンクと、前記収容タンクと前記汚水タンクとを接続する接続管路と、前記汚水タンク内に溜まった汚水を、前記接続管路を介して前記収容タンクに移送する移送ポンプとを備えてもよい。
【００１５】
これによれば、水分の含有量が多い塵芥を収集する際には、固形廃棄物の収集に伴って汚水タンクに貯留されてゆく汚水を、移送ポンプにより第１タンクに適宜移送することにより、汚水タンクが溢れて汚水が流出するのを防止することができる。また、第１タンクに移送された汚水は、第１タンクに収集された液状廃棄物とともに所定の処理に供することにより、何等の手間を要することなく、効率的に処理することができる。
【００１６】
本発明において、前記汚水タンク内の汚水が所定のレベルに達したときに検出信号を出力する液面センサを備え、前記移送ポンプは、前記液面センサからの検出信号に基づいて作動するようにしてもよい。これによれば、汚水タンク内の汚水の液面レベルを一定値以下に維持し、廃棄物収集車の走行時の振動により汚水の液面が波立って汚水が流出するのを防止することができる。
【００１７】
本発明において、前記投入箱は、その上端部の回動軸の周りで回動することにより、前記収容箱の後端を開閉し得るようになっており、前記接続管路には、前記投入箱の回動時に該回動に支障を生じないように該接続管路を分離させるための分離用コネクタが設けられてもよい。これによれば、分離用コネクタで接続管路を分離することにより、投入箱の回動を支障なく行うことができる。
【００１８】
本発明において、前記投入箱は、その上端部の回動軸の周りで回動することにより、前記収容箱の後端を開閉し得るようになっており、前記接続管路は、前記投入箱の回動時に必要な部分が変形するように可撓性を有してもよい。これによれば、投入箱の回動を支障なく行うことができる。
【図面の簡単な説明】
【００１９】
【図１】本発明の第１実施形態に係る廃棄物収集車の正面図である。
【図２】本発明の第２実施形態に係る廃棄物収集車の正面図である。
【図３】本発明の第３実施形態に係る廃棄物収集車の正面図である。
【図４】液状廃棄物収集用のタンクを塵芥収容箱の上に配置した廃棄物収集車の正面図である。
【発明を実施するための形態】
【００２０】
以下、図面を用いて本発明の実施形態を説明する。図１は、本発明の第１実施形態に係る廃棄物収集車の正面図である。廃棄物収集車１は、固形廃棄物としての塵芥の収集と、汚泥や屎尿、廃油等の液状廃棄物の収集とに用いられる。
【００２１】
図１に示すように、廃棄物収集車１は、投入される塵芥を圧縮して収容する第１収容部２と、第１収容部２による塵芥収集に際して生じる汚水を貯留する汚水タンク３と、真空ポンプ４により液状廃棄物を吸引してタンク５内に収容する第２収容部６と、タンク５と汚水タンク３とを接続する接続管路７と、汚水タンク３内に溜まった汚水を、接続管路７を介してタンク５に移送する移送ポンプ８とを備える。
【００２２】
第１収容部２は、塵芥が投入される塵芥投入箱９と、投入された塵芥が圧縮されて収容される塵芥収容箱１０とを備える。塵芥投入箱９は、塵芥投入箱９内に塵芥を投入するための投入口１１を有する。塵芥投入箱９及び塵芥収容箱１０は、それぞれ本発明における投入箱及び収容箱に対応する。
【００２３】
第１収容部２は、廃棄物収集車１の後方側に設けられ、第２収容部６は、第１収容部２の前方に隣接して設けられる。第２収容部６のタンク５及び第１収容部２の塵芥収容箱１０は、全体として、廃棄物収集車１の前後方向に沿った上面及びその両側の側面を有する直方体状の外形を有する。
【００２４】
タンク５は、スペースが限られた廃棄物収集車１において、第１収容部２の塵芥投入箱９及び塵芥収容箱１０とともに設けられるので、通常のバキュームカーのタンクのような大容量のタンクではなく、小容量のものとなる。タンク５は、後方側の側壁が、強固な塵芥収容箱１０の前方側の側壁に一体化されることにより強化されている。本実施形態の場合、タンク５が、本発明における収容タンクに対応する。
【００２５】
塵芥投入箱９内には、投入口１１から投入される塵芥を圧縮して塵芥収容箱１０に収容する塵芥積込装置が設けられる。塵芥積込装置としては、例えば、投入された塵芥を、塵芥投入箱９の底部の回転板で上方へ引き上げて、上部の押込板で塵芥収容箱１０へ押し込む回転板式のものが該当する。
【００２６】
塵芥投入箱９は、その上端部の回動軸１２の周りで回動することにより、塵芥収容箱１０の後端を開閉し得るようになっている。回動のための動力は、例えば、塵芥投入箱９と塵芥収容箱１０との間に設けられたシリンダにより付与される。塵芥収容箱１０内に収集された塵芥が塵芥ピットに排出される際には、塵芥投入箱９が回動して、塵芥収容箱１０の後端が開放される。
【００２７】
接続管路７は、移送ポンプ８から、塵芥投入箱９の側面を通り、さらに塵芥投入箱９上端の回動軸１２の近傍を経て、タンク５の上部に接続される。接続管路７は、塵芥投入箱９が回動軸１２の周りで回動しても支障が生じないように、回動軸１２近傍の必要な部分７ａが変形可能な可撓性を有する。
【００２８】
接続管路７は、汚水タンク３に対し、タンクコネクタ１３により連結される。タンクコネクタ１３は、汚水タンク３に穿孔された貫通孔に設けられる。移送ポンプ８は、汚水タンク３の近傍で、汚水タンク３に固定して設けられる。移送ポンプ８としては、例えば電磁ポンプを用いることができる。
【００２９】
汚水タンク３内には、汚水が所定のレベルに達したときに検出信号を出力する液面センサ１４が設けられる。移送ポンプ８は、液面センサ１４からの検出信号に基づき、例えば検出信号が入力されてから一定期間作動する。
【００３０】
第２収容部６は、上記のタンク５及び真空ポンプ４の他、タンク５の下部に設けられた開閉バルブ１５と、開閉バルブ１５を介してタンク５に接続された液状廃棄物の吸引及び排出用のホース１６と、ホース１６を巻取り及び巻戻しするためのリール１７とを備える。ホース１６は、本発明における管路に対応する。
【００３１】
廃棄物（塵芥及び液状廃棄物）の収集を行うに際しては、廃棄物収集車１を用い、塵芥や液状廃棄物の収集が必要な各地点を効率的に巡回しながら、塵芥及び液状廃棄物の収集が並行して行われる。
【００３２】
塵芥収集が行われる各地点では、塵芥投入箱９に投入される塵芥が圧縮され、塵芥収容箱１０に押し込まれる。このときに塵芥から染み出る汚水が、汚水タンク３内に貯留される。汚水タンク３内の汚水の液面が所定レベルに達すると、液面センサ１４がこれを検出し、検出信号を出力する。これに応じて、移送ポンプ８の制御基板は、移送ポンプ８を所定期間作動させ、汚水タンク３内の汚水をタンク５に移送する。
【００３３】
これにより、汚水タンク３内の汚水のレベルは、常に所定レベル以下に維持される。したがって、廃棄物の収集中に、汚水が汚水タンク３から溢れ出たり、廃棄物収集車１の走行時の揺れにより汚水が波立って流出したりすることはない。廃棄物の収集中に汚水タンク３からタンク５に移送された汚水は、タンク５内に収集された液状廃棄物が液状廃棄物の処理施設において回収されるまで、タンク５内に貯留される。
【００３４】
一方、液状廃棄物の収集が行われる各地点では、ホース１６がリール１７から巻き戻され、ホース１６の先端部が、収集すべき液状廃棄物中に配置される。そして、真空ポンプ４を作動させ、開閉バルブ１５を開くことにより、タンク５内への液状廃棄物の収容が行われる。液状廃棄物の収容が終了すると、開閉バルブ１５が閉じられ、真空ポンプ４が停止され、ホース１６がリール１７により巻き取られる。これにより、その地点での液状廃棄物の収集が完了する。
【００３５】
塵芥収容箱１０内に収集された塵芥は、塵芥ピットに集積され、焼却処分に供される。塵芥収容箱１０から塵芥を塵芥ピットに排出するとき、塵芥投入箱９が回動軸１２の周りで回動し、塵芥収容箱１０の後端の排出口が開放される。このとき、接続管路７の回動軸１２近傍の可撓性を有する部分７ａが、塵芥投入箱９の回動に伴って柔軟に変形する。このため、塵芥投入箱９の回動により支障が生じることはない。
【００３６】
なお、塵芥ピットへの塵芥の排出は、塵芥収容箱１０を傾けて塵芥を自重で塵芥ピット内へ落下させるダンプ式で行われてもよいし、又は塵芥収容箱１０内の塵芥を排出装置により塵芥収容箱１０後部の開口部から塵芥ピットの方へ押し出すことにより行われてもよい。
【００３７】
一方、タンク５内に収集された液状廃棄物は、液状廃棄物の処理施設へ搬入され、所定の処理に供される。その際、タンク５内の液状廃棄物の排出は、真空ポンプ４の逆転駆動等によりタンク５内に空気を流入させ、開閉バルブ１５を開くことにより、ホース１６を介して行うことができる。なお、液状廃棄物の排出は、別途設けた排出専用のバルブ及びホースを介して行うようにしてもよい。
【００３８】
本実施形態によれば、塵芥収集を行う地点及び液状廃棄物の収集を行う地点が混在する場合でも、廃棄物収集車１により各地点を効率よく巡回しながら塵芥及び液状廃棄物の収集を並行して行うことができる。したがって、廃棄物の収集を行うための作業人員を削減し又は作業時間を短縮することができる。
【００３９】
また、タンク５及び塵芥収容箱１０は、全体として直方体状の外形を有しているので、タンク５を、廃棄物収集車１上の限られたスペース内に、塵芥収容箱１０と一体のものとして効率的に設置することができる。
【００４０】
この設置にあたっては、タンク５は、後方側の側壁が塵芥収容箱１０の前方側の側壁に一体化されることにより強化されており、かつタンク５は、通常のバキュームカーのタンクよりも小容量のものであるため、タンク５は、直方体状のものであっても、真空ポンプ４による真空吸引に十分耐え得るものとして、容易に構成することができる。
【００４１】
また、廃棄物の収集時には、塵芥収集に伴って汚水タンク３に貯留されてゆく汚水を適宜移送ポンプ８によりタンク５に移送しておくことにより、水分の含有量が多い塵芥を収集する場合でも、汚水タンク３が溢れるのを防止することができる。また、タンク５に移送された汚水は、タンク５に収集された液状廃棄物とともに、所定の処理によって処理することができる。
【００４２】
また、汚水タンク３内に液面センサ１４を設けたので、汚水タンク３内の汚水が所定のレベルに達したときには、液面センサ１４からの検出信号に基づき、作業者に対し、汚水タンク３が溢れるおそれがある旨の警報を発することができる。
【００４３】
また、移送ポンプ８は、液面センサ１４からの検出信号に基づいて作動するようにしたので、汚水タンク３内の汚水の液面レベルを一定値以下に維持し、廃棄物収集車１の走行時の振動により汚水の液面が波立って汚水が流出するのを防止することができる。
【００４４】
図２は、本発明の第２実施形態に係る廃棄物収集車の正面図である。本実施形態の廃棄物収集車１８では、第２収容部６が、さらに、廃油が真空ポンプ４により吸引して収容される廃油タンク１９と、真空ポンプ４による真空吸引の対象をタンク５又は廃油タンク１９に選択的に切り替えるための切替えバルブ２１とを備える。
【００４５】
廃油タンク１９は、タンク５と塵芥収容箱１０との間に位置する。廃油タンク１９には、廃油を吸引するための廃油ホース２２が、開閉バルブ２３を介して接続される。本実施形態の場合、開閉バルブ１５及び２３が本発明における第１開閉バルブ及び第２開閉バルブに対応する。また、ホース１６及び廃油ホース２２が、本発明における第１管路及び第２管路に対応する。
【００４６】
また、本実施形態の場合、タンク５及び廃油タンク１９により本発明における収容タンクが構成される。また、タンク５及び廃油タンク１９は、本発明における第１タンク及び第２タンクに対応する。そして、廃油タンク１９の後方側の側壁が塵芥収容箱１０の前方側の側壁と一体化している。
【００４７】
これにより、タンク５及び廃油タンク１９からなる収容タンク全体が、強固な塵芥収容箱１０の前方側側面により強化されている。他の構成については、図１の廃棄物収集車１の場合と同様である。
【００４８】
廃棄物収集車１８による廃棄物の収集に際しては、塵芥収容箱１０及びタンク５への塵芥及び液状廃棄物の収集と並行し、必要な地点において、廃油タンク１９への廃油の収集が行われる。廃油の収集に際しては、真空吸引の対象が廃油タンク１９となるように切替えバルブ２１が切り替えられる。その後、廃油ホース２２の先端が収集対象の廃油に浸漬され、真空ポンプ４が作動され、第２開閉バルブ２３が開かれる。これにより、廃油が吸引され、廃油タンク１９に収容される。
【００４９】
収集される廃油としては、天ぷら油等の再生可能な廃油が該当する。収集される廃油は、レストランや食堂に限らず、各家庭から排出されるものであってもよい。廃油タンク１９内に収集された廃油は、真空ポンプ４により排出させて回収される。この廃油の排出は、真空ポンプ４の接続先が廃油タンク１９となるように切替えバルブ２１を切り替えてから、真空ポンプ４の逆転運転により廃油タンク１９内に空気を流入させ、第２開閉バルブ２３を開くことにより行われる。
【００５０】
本実施形態によれば、塵芥及び液状廃棄物の収集と並行して、天ぷら油等の再生可能な廃油を効率的に収集し、回収することができる。そして、回収した廃油を、バイオ燃料等の再生に用いることができる。
【００５１】
図３は、本発明の第３実施形態に係る廃棄物収集車の正面図である。図３に示すように、本実施形態の廃棄物収集車２４においては、接続管路７は、移送ポンプ８から、塵芥収容箱１０の前端近傍までの水平ルートと、その後の鉛直ルートとを経てタンク５の上部に接続される。このため、接続管路７には、塵芥投入箱９の回動時に支障を生じないように、接続管路７を分離するための分離用コネクタ２５が設けられる。分離用コネクタ２５は、移送ポンプ８の下流側近傍に設けられる。
【００５２】
塵芥収容箱１０内に収集された塵芥が塵芥ピットへ排出されるときには、塵芥投入箱９の回動に支障を生じないように、分離用コネクタ２５によって接続管路７が分離される。これにより、塵芥投入箱９が支障なく回動され、塵芥収容箱１０内の塵芥が塵芥ピットへ排出される。他の構成や作用については、第１実施形態の場合と同様である。
【００５３】
本発明は上述実施形態に限定されない。例えば、第１収容部２は、上述の回転板式の塵芥積込装置を有するものに限らず、塵芥投入箱９に投入された塵芥を、塵芥投入箱９内で上下する圧縮板により圧縮し、上方へ引き上げて、塵芥収容箱１０に送り込む圧縮板式の塵芥積込装置を有するものであってもよい。
【００５４】
また、第３実施形態においては、分離用コネクタ２５により接続管路７が分離されているときのみ、塵芥投入箱９の回動を許容する手段を設けてもよい。例えば、分離用コネクタ２５に、分離用コネクタ２５が分離しているか否かを検出するセンサを設け、この検出出力が、接続管路７が分離されている旨を示す場合を除き、塵芥投入箱９の回動を行うシリンダへ油圧が供給されないようにしてもよい。これによれば、分離用コネクタ２５で接続管路７が分離されていないときに、誤って塵芥投入箱９が回動されて支障が生じるのを防止することができる。
【００５５】
また、上記の第１実施形態及び第３実施形態では、タンク５は、塵芥収容箱１０の前に配置されているが、これに代えて、図４に示す廃棄物収集車２６のように、タンク５を、塵芥収容箱１０の上に配置するようにしてもよい。
【符号の説明】
【００５６】
１、１８、２４、２６…廃棄物収集車、２…第１収容部、３…汚水タンク、４…真空ポンプ、５…タンク（収容タンク、第１タンク）、６…第２収容部、７…接続管路、８…移送ポンプ、９…塵芥投入箱、１０…塵芥収容箱、１２…回動軸、１４…液面センサ、１５…開閉バルブ（第１開閉バルブ）、１６…ホース（第１管路）、１９…廃油タンク（収容タンク、第２タンク）、２１…切替えバルブ、２２…廃油ホース（第２管路）、２３…開閉バルブ（第２開閉バルブ）、２５…分離用コネクタ。
【図１】
2014144831.tif 000003
【図２】
2014144831.tif 000004
【図３】
2014144831.tif 000005
【図４】
2014144831.tif 000006